(57)【要約】【課題】複数の機能を有する機器の各機能の中からいずれかの機能を選択する機能選択装置において、マルチ操作スイッチに操作に対して選択アイコンがどのように切り替わるかの判断を容易にして操作性を向上すること。【解決手段】ディスプレイ１１には、選択アイコンとして選択されている機能アイコン９１〜９３を強調する強調表示としての囲み枠４１が、選択アイコンに囲むように表示される。また、機能切替方向としての矢印記号４２、４３が囲み枠４１に付帯して表示される。さらに、空調パネル１０のマルチ操作スイッチ１６の左右に、操作方向を示唆する加飾部３０ａ、３０ｂが表示される。これにより、マルチ操作スイッチ１６の左方向の操作で選択アイコンが左隣りに切り替えられ、右方向の操作で選択アイコンが右隣りに切り替えられと判断させることができる。【選択図】図１
2011051427.tif 000002
【特許請求の範囲】
【請求項１】
複数の機能を有する機器の各機能に対応した機能アイコンのそれぞれが並べて表示されるディスプレイと、
前記複数の機能アイコンの中から一つを選択アイコンとして選択する単一のスイッチであって、そのスイッチが予め定められた操作方向に操作される度に、前記複数の機能アイコンの配置順にしたがった順番で前記選択アイコンが切り替わる機能選択スイッチと、
前記選択アイコンとして現在選択されていることを示すために、前記選択アイコンを強調表示するとともに、前記機能選択スイッチによって他の前記選択アイコンに切り替えられた場合には、その切り替え後の前記選択アイコンに前記強調表示を切り替える強調表示手段と、を備える機能選択装置において、
前記機能選択スイッチが操作された場合の切り替え後の前記選択アイコンの方向を機能切替方向としたときに、現在の前記選択アイコンの位置に応じた前記機能切替方向を前記強調表示に付帯して表示する切替方向表示手段を備えることを特徴とする機能選択装置。
【請求項２】
前記複数の機能アイコンの配置領域の端に位置している機能アイコンである一端機能アイコンが前記選択アイコンとなっているときには、前記機能選択スイッチの次の操作で、他端に位置している前記機能アイコンである他端機能アイコンに前記選択アイコンがジャンプして切り替わることが可能となっており、
前記切替方向表示手段は、前記一端機能アイコンが前記選択アイコンとなっているときには、前記機能切替方向として、前記機能選択スイッチの次の操作で前記他端機能アイコンに前記選択アイコンがジャンプして切り替わることを示唆する機能ジャンプ示唆表示をすることを特徴とする請求項１に記載の機能選択装置。
【請求項３】
前記切替方向表示手段は、前記機能ジャンプ示唆表示として、前記配置領域外の方向を前記強調表示に付帯して表示するとともに、前記他端機能アイコンに向いたジャンプ先アイコン方向を表示することを特徴とする請求項２に記載の機能選択装置。
【請求項４】
前記複数の機能アイコンの配置領域の端に位置している機能アイコンである一端機能アイコンが前記選択アイコンとなっているときには、前記機能選択スイッチの次の操作では、他端に位置している前記機能アイコンである他端機能アイコンに前記選択アイコンがジャンプして切り替わらないで機能切り替えが行き止まりとしたものであり、
前記切替方向表示手段は、前記一端機能アイコンが前記選択アイコンとなっているときには、前記機能切替方向として、機能切り替えが行き止まりであることを示唆する機能終端示唆表示をすることを特徴とする請求項１に記載の機能選択装置。
【請求項５】
前記機能切替方向は複数あり、
前記切替方向表示手段は、前記複数の機能切替方向のそれぞれを表示することを特徴とする請求項１〜４のいずれか１項に記載の機能選択装置。
【請求項６】
複数の機能を有する機器の各機能に対応した機能アイコンのそれぞれが並べて表示されるディスプレイと、
前記複数の機能アイコンの中から一つを選択アイコンとして選択する単一のスイッチであって、そのスイッチが予め定められた操作方向に操作される度に、前記複数の機能アイコンの配置順にしたがった順番で前記選択アイコンが切り替わる機能選択スイッチと、
前記選択アイコンとして現在選択されていることを示すために、前記選択アイコンを強調表示するとともに、前記機能選択スイッチによって他の前記選択アイコンに切り替えられた場合には、その切り替え後の前記選択アイコンに前記強調表示を切り替える強調表示手段と、を備える機能選択装置において、
前記機能選択スイッチが操作された場合の切り替え後の前記選択アイコンの方向を機能切替方向としたときに、前記機能選択スイッチの前記操作方向と前記機能切替方向とを一致させたことを特徴とする機能選択装置。
【請求項７】
前記機能選択スイッチ自体又はその周辺に、前記機能選択スイッチの前記操作方向を示唆する操作方向示唆表示をする操作方向示唆手段を備えることを特徴とする請求項１〜６のいずれか１項に記載の機能選択装置。
【請求項８】
前記機能選択装置の起動時に、前記機能選択スイッチの操作方法及びその操作によって前記選択アイコンがどのように切り替わるかを前記ディスプレイでデモンストレーションする操作デモンストレーション手段をさらに備えることを特徴とする請求項１〜７のいずれか１項に記載の機能選択装置。
【請求項９】
前記操作デモンストレーション手段は、実際に前記機能選択スイッチを操作して前記選択アイコンを選択する際の前記ディスプレイの表示と同じ表示で、前記デモンストレーションをすることを特徴とする請求項８に記載の機能選択装置。
【請求項１０】
前記機能選択スイッチ自体又はその周辺に設けられ、前記機能選択スイッチの操作方向に対応する間接照明を備え、
前記操作デモンストレーション手段は、前記間接照明の点灯消灯を制御することによって、前記機能選択スイッチの操作方法をデモンストレーションすることを特徴とする請求項８又は９に記載の機能選択装置。
【請求項１１】
前記機器が車両に搭載される車載機器であることを特徴とする請求項１〜１０のいずれか１項に記載の機能選択装置。
【発明の詳細な説明】
【技術分野】
【０００１】
本発明は、複数の機能を有する機器の各機能の中から、例えば設定操作をする機能を選択する機能選択装置に関する。
【背景技術】
【０００２】
近年、車両には、空調装置やオーディオ等の多数の車載機器が搭載されるようになってきている。それら車載機器には、複数の機能を有する場合が多く、例えば空調装置には、風量を設定する機能、車室内の温度設定をする機能、風向き設定する機能等があり、また例えばオーディオには、音量を設定する機能、ラジオの放送局を設定する機能、ＣＤ、ラジオ等出力音源を選択する機能等がある。そして、通常、各機能に対応した機能アイコンが表示されるディスプレイがインストルメントパネル等に設けられ、各機能における設定操作等するための操作スイッチが設けられる。そして、これら機能アイコンに、各機能の設定状態を反映させることによって、各機能が現在どのように設定されているのか、また、各機能を設定操作する際にどのように設定するか等を把握することができる。
【０００３】
ここで、図１７は、このディスプレイや操作スイッチを含む空調装置の空調パネル１０１を例示した図である。図１７に示すように、空調パネル１０１には、空調装置の各機能に対応した機能アイコンとしての風量アイコン９１、設定温度アイコン９２、風向アイコン９３が一列に表示されたディスプレイ９０が含まれている。風量アイコン９１は風量を設定する機能に対応し、風量の設定状態を反映した機能アイコンである。また、設定温度アイコン９２は温度設定をする機能に対応し、温度の設定状態を反映した機能アイコンである。また、風向アイコン９３は風向きを設定する機能に対応し、風向きの設定状態を反映した機能アイコンである。このように機能アイコン９１〜９３がそれぞれ表示されることで、ユーザは、現在、どのような風量、設定温度、風向きで空調しているのかを把握することができる。
【０００４】
なお、空調パネル１０１のディスプレイ９０には、外気温を示した外気温アイコン９４も機能アイコン９１〜９３に並列して表示されている。この外気温アイコン９４は、温度センサで自動的に検出された外気温が示されるものであり、ユーザが操作する機能に対応したアイコンではない。以下、このようなアイコンを対象外アイコンと称する。
【０００５】
また、空調パネル１０１には、風量設定、温度設定、風向き設定の各機能を設定操作するための単一の操作スイッチであるマルチ操作スイッチ８０が設けられている。ただし、このマルチ操作スイッチ８０で設定操作できる機能は一度に一つである。そのため、マルチ操作スイッチ８０で設定操作が可能となっている機能に対応した機能アイコンを選択アイコンとして、空調パネル１０１のディスプレイ９０には、その選択アイコンを強調する強調表示としてのアンダーバー７０が表示されている。図１７の例では、設定温度アイコン９２の下にアンダーバー７０が表示されているので、マルチ操作スイッチ８０を操作することによって温度設定が可能となっている。なお、図１７の状態では、風量設定や風向き設定はできないことになる。
【０００６】
また、マルチ操作スイッチ８０で選択アイコンを選択することが可能となっており、マルチ操作スイッチ８０が予め定められた操作方向（押下方向、左右方向、回転方向等）に操作される度に、機能アイコン９１〜９３の配置順にしたがった順番、つまり隣りの機能アイコン９１〜９３に選択アイコンが切り替わる。この際、アンダーバー７０の表示も切り替わって、切り替え後の選択アイコンの下にアンダーバー７０が表示される。これにより、ユーザは、アンダーバー７０の表示位置を確認しながらマルチ操作スイッチ８０を操作することで、所望する機能アイコン９１〜９３を選択アイコンとして選択することができる。そして、現在どの位置にアンダーバー７０が表示されているかを確認することで、現在、どの機能が設定操作可能であるかを把握することができる。
【０００７】
なお、上記したようなマルチ操作スイッチで複数の機能の中から一つを選択する他の先行技術の文献としては、下記特許文献１、２がある。この特許文献１には、集中ディスプレイ（上記ディスプレイに相当）に左右に並べて表示された複数の操作項目（上記機能アイコンに相当）のうち、左右スイッチ（上記マルチ操作スイッチに相当）で選択された操作項目（上記選択アイコンに相当）に対する設定操作（上記機能に相当）を可能とする技術が開示されている。また、特許文献２（図１３、図１４、段落００６５等）には、Ａ／Ｃ画面（上記ディスプレイに相当）に左右に並べて表示されたエアコンの風向き（上記機能に相当）を示した４種類の機能アイコンのうち、押下スイッチ（上記マルチ操作スイッチに相当）の押下操作で選択された機能アイコンに対応する風向きで空調制御される技術が開示されている。
【先行技術文献】
【特許文献】
【０００８】
【特許文献１】特開２００７−１９０９８０号公報
【特許文献２】特開２００７−８２４６号公報
【発明の概要】
【発明が解決しようとする課題】
【０００９】
上述したように、従来では、選択アイコンに強調表示がされるので、どの機能アイコン、すなわち機能が現在選択されているのかを把握することができるものの、マルチ操作スイッチの操作で、次にどの機能が選択されるのかの判断が困難という問題点があった。つまり、例えば図１７の例において、設定温度アイコン９２が選択アイコンとして選択されているが、次のマルチ操作スイッチ８０の操作で、選択アイコンが風量アイコン９１に切り替わるのか風向アイコン９３に切り替わるのかの判断が困難である。
【００１０】
また、例えば図１８に示すように、機能アイコン９１〜９３の配置領域の端に位置している風向アイコン９３が選択アイコンとして選択されているとする。また、次のマルチ操作スイッチ８０の操作で他端に位置している風量アイコン９１に選択アイコンがジャンプして切り替わるとする。この場合、ユーザは、次のマルチ操作スイッチ８０の操作で、選択アイコンが折り返して設定温度アイコン９２に切り替わると予想することも可能である。さらに、風向アイコン９３の隣りには対象外アイコンである外気温アイコン９４が表示されているので、ユーザは、次のマルチ操作スイッチ８０の操作で、この外気温アイコン９４に選択アイコンが切り替わると予想することも考えられる。このように、ユーザの予想と現実とが合致していないので、この場合も、次のマルチ操作スイッチ８０の操作で、選択アイコンがどのように切り替わるのかの判断が困難である。なお、次のマルチ操作スイッチ８０の操作で選択アイコンが折り返して設定温度アイコン９２に切り替わる場合も同じことが言える。
【００１１】
さらに、特許文献２のように、押下スイッチの操作方向（押下方向）と選択アイコンが切り替わる方向（左右方向）とに不整合が生じていると、マルチ操作スイッチの操作に対して選択アイコンがどのように切り替わるかの判断が困難となるので、操作性が低下するという問題もある。
【００１２】
本発明は、上記問題点に鑑みてなされたものであり、複数の機能を有する機器の各機能の中からいずれかの機能を選択する機能選択装置において、マルチ操作スイッチに操作に対して選択アイコンがどのように切り替わるかの判断を容易にして操作性を向上することを課題とする。
【課題を解決するための手段】
【００１３】
上記課題を解決するために、本発明は、複数の機能を有する機器の各機能に対応した機能アイコンのそれぞれが並べて表示されるディスプレイと、
前記複数の機能アイコンの中から一つを選択アイコンとして選択する単一のスイッチであって、そのスイッチが予め定められた操作方向に操作される度に、前記複数の機能アイコンの配置順にしたがった順番で前記選択アイコンが切り替わる機能選択スイッチと、
前記選択アイコンとして現在選択されていることを示すために、前記選択アイコンを強調表示するとともに、前記機能選択スイッチによって他の前記選択アイコンに切り替えられた場合には、その切り替え後の前記選択アイコンに前記強調表示を切り替える強調表示手段と、を備える機能選択装置において、
前記機能選択スイッチが操作された場合の切り替え後の前記選択アイコンの方向を機能切替方向としたときに、現在の前記選択アイコンの位置に応じた前記機能切替方向を前記強調表示に付帯して表示する切替方向表示手段を備えることを特徴とする。
【００１４】
これによれば、切換方向表示手段によって、現在の選択アイコンの位置に応じた機能切替方向が強調表示に付帯して表示されるので、ユーザはその機能切替方向を確認することにより、現在の選択アイコンを確認しつつ、機能選択スイッチ（上記マルチ操作スイッチに相当）の操作によって、次にどの選択アイコンに切り替わるかを容易に判断することができる。よって、機能選択スイッチの操作性を向上できる。
【００１５】
また、本発明の機能選択装置において、前記複数の機能アイコンの配置領域の端に位置している機能アイコンである一端機能アイコンが前記選択アイコンとなっているときには、前記機能選択スイッチの次の操作で、他端に位置している前記機能アイコンである他端機能アイコンに前記選択アイコンがジャンプして切り替わることが可能となっており、
前記切替方向表示手段は、前記一端機能アイコンが前記選択アイコンとなっているときには、前記機能切替方向として、前記機能選択スイッチの次の操作で前記他端機能アイコンに前記選択アイコンがジャンプして切り替わることを示唆する機能ジャンプ示唆表示をする。
【００１６】
これによれば、ユーザは、一端機能アイコンが選択アイコンとなっているときには、他端機能アイコンに選択アイコンがジャンプして切り替わることを判断することができる。よって、一端機能アイコンが選択アイコンとなっているときにも、前記機能選択スイッチに操作に対して選択アイコンがどのように切り替わるかの判断が容易になるので、操作性を向上できる。
【００１７】
また、本発明の機能選択装置において、前記切替方向表示手段は、前記機能ジャンプ示唆表示として、前記配置領域外の方向を前記強調表示に付帯して表示するとともに、前記他端機能アイコンに向いたジャンプ先アイコン方向を表示する。
【００１８】
これによれば、一端機能アイコンが選択アイコンとなっているときには、配置領域外の方向とジャンプ先アイコン方向とが表示されるので、選択アイコンの切り替えがジャンプすることを判断することができ、さらにジャンプ先の他端機能アイコンを把握することができる。
【００１９】
また、本発明の機能選択装置において、前記複数の機能アイコンの配置領域の端に位置している機能アイコンである一端機能アイコンが前記選択アイコンとなっているときには、前記機能選択スイッチの次の操作では、他端に位置している前記機能アイコンである他端機能アイコンに前記選択アイコンがジャンプして切り替わらないで機能切り替えが行き止まりとしたものであり、
前記切替方向表示手段は、前記一端機能アイコンが前記選択アイコンとなっているときには、前記機能切替方向として、機能切り替えが行き止まりであることを示唆する機能終端示唆表示をする。
【００２０】
このように、ジャンプしないで機能切り替えが行き止まりである場合には、そのことを示唆する機能終端示唆表示がなされるので、ユーザは機能切り替えが行き止まりであることを判断することができる。よって、機能切り替えが行き止まりであっても、機能選択スイッチに操作に対して選択アイコンがどのように切り替わるかの判断が容易になるので、操作性を向上できる。
【００２１】
また、本発明の機能選択装置において、前記機能切替方向は複数あり、
前記切替方向表示手段は、前記複数の機能切替方向のそれぞれを表示する。
【００２２】
このように、複数の機能切替方向がある場合でも、それら複数の機能切替方向のそれぞれが表示されるので、操作性を向上できる。
【００２３】
また、上記の機能切替方向の表示の他に、マルチ操作スイッチに操作性を向上するために、以下の構成を採用することができる。すなわち、本発明は、複数の機能を有する機器の各機能に対応した機能アイコンのそれぞれが並べて表示されるディスプレイと、
前記複数の機能アイコンの中から一つを選択アイコンとして選択する単一のスイッチであって、そのスイッチが予め定められた操作方向に操作される度に、前記複数の機能アイコンの配置順にしたがった順番で前記選択アイコンが切り替わる機能選択スイッチと、
前記選択アイコンとして現在選択されていることを示すために、前記選択アイコンを強調表示するとともに、前記機能選択スイッチによって他の前記選択アイコンに切り替えられた場合には、その切り替え後の前記選択アイコンに前記強調表示を切り替える強調表示手段と、を備える機能選択装置において、
前記機能選択スイッチが操作された場合の切り替え後の前記選択アイコンの方向を機能切替方向としたときに、前記機能選択スイッチの前記操作方向と前記機能切替方向とを一致させたことを特徴とする。
【００２４】
このように、機能切替方向と機能選択スイッチの操作方向とが一致されているので機能選択スイッチの操作性を向上できる。なお、ここでいう「機能切替方向と機能選択スイッチの操作方向とを一致」とは、角度単位で厳密に一致していることまでは要しなくて、常識的な範囲で一致していること、つまり、左方向、右方向、上方向、下方向、時計回りの回転方向、反時計回りの回転方向、押下方向等の方向として一致していることを意味する。
【００２５】
また、本発明の機能選択装置は、前記機能選択スイッチ自体又はその周辺に、前記機能選択スイッチの前記操作方向を示唆する操作方向示唆表示をする操作方向示唆手段を備える。
【００２６】
これにより、機能選択スイッチの操作方向を判断しやすくできるので、一層、操作性を向上できる。また、操作方向示唆表示は、機能選択スイッチ自体又はその周辺でなされるので、実際に、機能選択スイッチを使用するときにその操作方向を判断しやすくできる。
【００２７】
また、本発明の機能選択装置は、前記機能選択装置の起動時に、前記機能選択スイッチの操作方法及びその操作によって前記選択アイコンがどのように切り替わるかを前記ディスプレイでデモンストレーションする操作デモンストレーション手段をさらに備える。
【００２８】
これにより、より一層、機能選択スイッチに操作に対して選択アイコンがどのように切り替わるかの判断しやすくなり、機能選択スイッチの操作性を向上できる。そして、そのデモンストレーションは、機能選択装置の起動時に実行されるので、機能選択装置を実際に使用する前に操作方法を予め把握することができる。また、そのデモンストレーションは、機能アイコンが表示される同じディスプレイでなされるので、一層、機能選択スイッチの操作方法を把握しやすくできる。また、デモンストレーションのための別のディスプレイを設ける場合よりも、経済的である。
【００２９】
また、その操作デモンストレーション手段は、実際に前記機能選択スイッチを操作して前記選択アイコンを選択する際の前記ディスプレイの表示と同じ表示で、前記デモンストレーションをする。
【００３０】
このように、表示も同じなので、より一層、機能選択スイッチの操作方法を把握しやすくできる。
【００３１】
また、本発明の機能選択装置は、前記機能選択スイッチ自体又はその周辺に設けられ、前記機能選択スイッチの操作方向に対応する間接照明を備え、
前記操作デモンストレーション手段は、前記間接照明の点灯消灯を制御することによって、前記機能選択スイッチの操作方法をデモンストレーションする。
【００３２】
このように、機能選択スイッチ自体又はその周辺に設けられた間接照明を用いることにより、機能選択スイッチの操作方法をデモンストレーションすることができる。そして、その間接照明は、機能選択スイッチ自体又はその周辺に設けられているので、実際の機能選択スイッチと密接に関連させて、機能選択スイッチの操作方法をデモンストレーションすることができる。よって、より一層、機能選択スイッチの操作方法を把握しやすくできる。
【００３３】
また、本発明の機能選択装置において、前記機器が車両に搭載される車載機器である。このように、設置場所が限られる車室内に設置され、多機能を有することが多い車載機器に本発明を適用すると、より一層効果的となる。
【図面の簡単な説明】
【００３４】
【図１】空調制御装置１の外観図である。
【図２】マルチ操作スイッチ１６の斜視図である。
【図３】空調制御装置１の電気的構成を示したブロック図である。
【図４】第一実施形態における空調パネル１０を示した図である。
【図５】第二実施形態における空調パネル１０を示した図である。
【図６】第三実施形態の機能選択装置の構成を説明するための図である。
【図７】第三実施形態におけるディスプレイ１１の表示内容、間接照明１４ｃ〜１４ｆの点灯状態を説明するための図である。
【図８】第三実施形態におけるディスプレイ１１の表示内容、間接照明１４ｃ〜１４ｆの点灯状態を説明するための図である。
【図９】第四実施形態におけるディスプレイ１１の表示内容、間接照明１４ｃ〜１４ｆの点灯状態を説明するための図である。
【図１０】第五実施形態のデモンストレーションを説明するための図である。
【図１１】第五実施形態のデモンストレーションを説明するための図である。
【図１２】強調表示、機能切替方向の変形例を示した図である。
【図１３】機能アイコンの配置の例として、機能アイコンが直線配置された場合を説明するための図である。
【図１４】機能アイコンの配置の例として、機能アイコンが縦横配置された場合を説明するための図である。
【図１５】機能アイコンの配置の例として、機能アイコンが十字配置された場合を説明するための図である。
【図１６】機能アイコンの配置の例として、機能アイコンが円周配置された場合を説明するための図である。
【図１７】従来の空調パネル１０１を示した図である。
【図１８】従来の空調パネル１０１を示した図である。
【発明を実施するための形態】
【００３５】
（第一実施形態）
以下、本発明の機能選択装置の第一実施形態を説明する。この第一実施形態は、機能選択装置として、車両の空調を制御する空調制御装置として実現した実施形態である。先ず、図１〜図３を参照して、その空調制御装置の構成を説明する。図１はその空調制御装置１の外観図であり、図２は図１のマルチ操作スイッチ１６の斜視図であり、図３は空調制御装置１の電気的構成を示したブロック図である。
【００３６】
図１に示すように、空調制御装置１は、各種スイッチ等が設けられた空調パネル１０が例えばインストルメントパネルに設置される。その空調パネル１０の上部には、空調の制御状態等、各種情報が表示されるディスプレイ１１が設けられている。そのディスプレイ１１は、複数のＬＥＤからなるディスプレイ用照明１２（図３参照）の点灯、消灯が制御されて、各種情報が表示されるセグメントタイプのディスプレイである。なお、液晶ディスプレイを用いてもよい。そのディスプレイ１１には、具体的には、空調装置の各機能を示し、各機能の設定状態が反映された機能アイコン９１〜９３が左右に一列に並べて表示される。機能アイコン９１は、風量を設定する機能に対応し、風量の設定状態が反映された風量アイコンである。また、機能アイコン９２は、温度設定をする機能に対応し、温度の設定状態が反映された設定温度アイコンである。機能アイコン９３は、風向きを設定する機能に対応し、風向きの設定状態が反映された風向アイコンである。ユーザは、これら機能アイコン９１〜９３を確認することにより、現在、どのようない風量、温度設定、風向きで空調しているのかを把握することができる。
【００３７】
また、風向アイコン９３の右隣りには、外気温を示した外気温アイコン９４が表示される。ただし、その外気温アイコン９４は、温度センサで自動的に検出された外気温が示されるものであり、ユーザが操作する機能に対応したアイコンではない対象外アイコンである。
【００３８】
そして、これら機能アイコン９１〜９３に対応した各機能を設定操作するためのマルチ操作スイッチ１６が、空調パネル１０のディスプレイ１１の下に設けられている。そのマルチ操作スイッチ１６は、図２に示すように、円盤状のノブ型のスイッチであり、中心軸周りに時計回り、反時計回りに回転できるようになっている。なお、ノブ型以外に、ジョイスティック、トラックボール、タッチパッド等、他の操作方式のマルチ操作スイッチを採用してもよい。ユーザは、そのマルチ操作スイッチ１６を回転操作することによって、機能アイコン９１〜９３に対応する風量設定機能、温度設定機能、風向き設定機能における設定操作、つまり例えば設定温度を上昇させ又は減少させて所望の設定温度にすることができる。ただし、マルチ操作スイッチ１６で一度に設定操作できるのは、風量設定機能、温度設定機能及び風向き設定機能のうち、選択された一つの機能に対するもののみである。したがって、ユーザは、マルチ操作スイッチ１６で機能の設定操作をする際には、設定操作をする機能を選択する必要があり、その選択をマルチ操作スイッチ１６でできるようになっている。
【００３９】
図２に示すように、マルチ操作スイッチ１６は、回転方向に操作できる他に、左右方向に操作できるようにもなっている。ユーザが設定操作をする機能を選択する際には、そのマルチ操作スイッチ１６が左右方向に操作されることによって、ユーザの所望する機能を選択できるようにしている。具体的には、マルチ操作スイッチ１６が左右方向に操作されると、ディスプレイ１１に表示された機能アイコン９１〜９３のいずれかが選択アイコンとして選択され、その選択アイコンに対応する機能の設定操作が可能となる。さらに詳細に言うと、マルチ操作スイッチ１６が右方向に操作されると、現在の選択アイコンの右隣りに位置している機能アイコン９１〜９３に選択アイコンが切り替わり、反対に、マルチ操作スイッチ１６が左方向に操作されると、現在の選択アイコンの左隣りに位置している機能アイコン９１〜９３に選択アイコンが切り替わる。このように、マルチ操作スイッチ１６は、各機能の設定操作をするスイッチであるとともに、選択アイコンを選択するスイッチとしても機能するため、本発明の「機能選択スイッチ」に相当するものである。
【００４０】
また、現在、どの機能アイコン９１〜９３が選択アイコンとして選択されているかを示すために、図１に示すように、ディスプレイ１１には、選択アイコンとして選択されている機能アイコン９１〜９３を強調する強調表示としての囲み枠４１が、選択アイコンに囲むように表示される。なお、図１の例では、設定温度アイコン９２に囲み枠４１が表示されているので、設定温度アイコン９２が選択アイコンとして選択されており、それに対応する温度設定機能の設定操作が可能となっている。ユーザは、この囲み枠４１がどの機能アイコン９１〜９３に表示されているかを確認することによって、現在、どの機能アイコン９１〜９３が選択アイコンとして選択されているのかを把握することができるので、マルチ操作スイッチ１６で所望の選択アイコンを選択することができる。
【００４１】
さらに、マルチ操作スイッチ１６の操作で、選択アイコンがどのように切り替わるかを判断しやすくするために、図１に示すように、ディスプレイ１１には、機能切替方向としての矢印記号４２、４３が囲み枠４１に付帯して表示される。矢印記号４２は、囲み枠４１の右側に付帯して表示され、右方向を示した矢印記号である（以下、右矢印記号４２という）。また、矢印記号４３は、囲み枠４１の左側に付帯して表示され、左方向を示した矢印記号である（以下、左矢印記号４２という）。このように、右矢印記号４２が表示されることによって、次のマルチ操作スイッチ１６の操作で、右隣りに位置している機能アイコン９１〜９３に選択アイコンが切り替わると印象付けることができる。同じように、左矢印記号４３が表示されることによって、次のマルチ操作スイッチ１６の操作で、左隣りに位置している機能アイコン９１〜９３に選択アイコンが切り替わると印象付けることができる。なお、図１の例では、設定温度アイコン９２に矢印記号４２、４３が表示されているので、次のマルチ操作スイッチ１６の操作で、選択アイコンが右隣りの風向アイコン９３又は左隣りの風量アイコン９１に切り替わると判断できることになる。
【００４２】
一方、選択アイコンを選択する際に、マルチ操作スイッチ１６をどの操作方向で操作すればよいかを判断しやすくするために、図１に示すように、空調パネル１０のマルチ操作スイッチ１６の左に、左方向を向いた矢印記号３０ａが加飾されている（以下、左加飾部３０ａという）。反対に、マルチ操作スイッチ１６の右には、右方向を向いた矢印記号３０ｂが加飾されている（以下、右加飾部３０ａという）。このように、左加飾部３０ａを加飾することにより、マルチ操作スイッチ１６の操作方向が左方向であると印象付けることができる。同じように、右加飾部３０ｂを加飾することにより、マルチ操作スイッチ１６の操作方向が右方向であると印象付けることができる。
【００４３】
そして、ディスプレイ１１に表示される左矢印記号４３と左加飾部３０ａとが向いている方向は左方向で一致しているため、マルチ操作スイッチ１６を左方向に操作すると、左隣りに位置している機能アイコン９１〜９３に選択アイコンを切り替わると印象付けることができる。同じように、ディスプレイ１１に表示される右矢印記号４２と右加飾部３０ｂとが向いている方向は右方向で一致しているため、マルチ操作スイッチ１６を右方向に操作すると、右隣りに位置している機能アイコン９１〜９３に選択アイコンを切り替わると印象付けることができる。
【００４４】
さらに、これら左右加飾部３０ａ、３０ｂの内側には、それぞれＬＥＤで構成される間接照明１４ａ、１４ｂが設けられている。間接照明１４ａは、左加飾部３０ａの内側に設けられ、左方向を向いた矢印の形状をしている。また、間接照明１４ｂは、右加飾部３０ｂの内側に設けられ、右方向を向いた矢印の形状をしている。これら左右の間接照明１４ａ、１４ｂは、それぞれ、現在の選択アイコンの位置に応じて点灯したり消灯したりする。具体的には、マルチ操作スイッチ１６を左方向に操作した場合に、選択アイコンが左隣りに切り替わることが可能となっているときには、左の間接照明１４ａが点灯し、反対に、マルチ操作スイッチ１６を左方向に操作しても、選択アイコンが切り替わらないで操作無効となる場合には、左の間接照明１４ａは消灯する。同じように、マルチ操作スイッチ１６を右方向に操作した場合に、選択アイコンが右隣りに切り替わることが可能となっているときには、右の間接照明１４ｂが点灯し、反対に、マルチ操作スイッチ１６を右方向に操作しても、選択アイコンが切り替わらないで操作無効となる場合には、右の間接照明１４ａは消灯する。
【００４５】
このように、左右加飾部３０ａ、３０ｂだけでは、どの選択アイコンに対しても常に、マルチ操作スイッチ１６の左右の操作方向で選択アイコンが切り替わると思われるおそれがあるので、これら間接照明１４ａ、１４ｂを用いることにより、現在、操作が有効となっている操作方向を印象付けることができる。なお、どのような場合に、これら間接照明１４ａ、１４ｂが点灯したり消灯したりするかの詳細は後述する。なお、左右加飾部３０ａ、３０ｂと間接照明１４ａ、１４ｂが本発明の「操作方向示唆表示」及び「操作方向示唆手段」に相当する。
【００４６】
なお、空調パネル１０には、その他の機能に対する操作をするために単機能スイッチ１８ａ〜１８ｄも設けられている。これら単機能スイッチ１８ａ〜１８ｄには、ＬＥＤからなるスイッチ用照明１３（図３参照）がそれぞれ設けられている。そして、このスイッチ用照明１３を点灯させることで、各単機能スイッチ１８ａ〜１８ｄの意匠性を上げている。
【００４７】
そして、上記したディスプレイ１１、各種照明１２〜１４、各種スイッチ１６、１８は、図３に示すように、それぞれＥＣＵ２０に接続されている。そのＥＣＵ２０は、ディスプレイ１１の表示や各種照明１２〜１４の点灯消灯を制御するものである。例えば、ＥＣＵ２０は、インターフェース１７、１９を介して接続された各種スイッチ１６、１８の操作の有無や操作方向を検出して、その検出結果に応じて、上記したような、囲み枠４１の表示、左右矢印記号４２、４３の表示、左右の間接照明１４ａ、１４ｂの点灯消灯を制御する。よって、ＥＣＵ２０が本発明の「強調表示手段」及び「切換方向表示手段」に相当する。また、ＥＣＵ２０は、例えば、マルチ操作スイッチ１６で設定操作された機能のその設定状態を反映するように、機能アイコン９１〜９３の表示を制御する。具体的には、例えば、設定温度が２５℃に設定された場合には、設定温度アイコン９２の表示を「２５．０」にする。さらに、ＥＣＵ２０は、空調装置（図示外）と接続されており、設定状態に応じた空調を実行する。
【００４８】
なお、ＥＣＵ２０には、電源回路２１が接続されており（図３参照）、その電源回路２１からの電力で、上記した制御を実行している。また、各種照明１２〜１４には、照明用電源回路１５（図３参照）が接続されており、その照明用電源回路１５からの電力でそれぞれ点灯する。
【００４９】
次に、マルチ操作スイッチ１６を操作して選択アイコンを選択するときの、そのマルチ操作スイッチ１６の操作方法やその操作によって選択アイコンがどのように切り替わるか等について、図４の各状況に応じた空調パネル１０を参照して説明する。なお、この空調パネル１０の制御は、ＥＣＵ２０が実行している。
【００５０】
先ず、現在、風量アイコン９１が選択アイコンとして選択されているとする。図４（ａ）はこのときの空調パネル１０を示した図である。図４（ａ）に示すように、風量アイコン９１が選択アイコンとして選択されているので、風量アイコン９１を囲むように囲み枠４１が表示される。したがって、ユーザは、風量アイコン９１が現在選択アイコンとして選択されていることを把握することができ、マルチ操作スイッチ１６で風量を設定できることを把握することができる。この状態で、マルチ操作スイッチ１６が回転操作された場合には、風量が切り替わり、その風量に応じて風量アイコン９１の表示が切り替わる。
【００５１】
また、この状態で、風量アイコン９１から他の選択アイコンに切り替える場合には、マルチ操作スイッチ１６を左右方向に操作することになる。この際、風量アイコン９１が選択アイコンとして選択されている場合には、次のマルチ操作スイッチ１６の右方向の操作で、右隣りに位置している設定温度アイコン９２に選択アイコンが切り替わる。一方で、風量アイコン９１が選択アイコンとして選択されている場合には、マルチ操作スイッチ１６が左方向に操作されても選択アイコンが切り替わらないで、機能切り替えが行き止まりとなっている。
【００５２】
このようなことを鑑みて、風量アイコン９１の右側には、右方向を向いた右矢印記号４２が囲み枠４１に付帯して表示される一方で、風量アイコン９１の左側には何も表示されない（本発明の「機能終端示唆表示」に相当）。これにより、次のマルチ操作スイッチ１６の操作で、設定温度アイコン９２に選択アイコンが切り替わり、他端に位置している風向アイコン９３にジャンプして切り替わらないで機能切切り替えが行き止まりとなっていることを印象付けることができる。
【００５３】
そして、マルチ操作スイッチ１６の右には右方向に向いた右加飾部３０ｂが加飾されており、その右加飾部３０ｂと表示されている右矢印記号４２とが向いている方向が右方向で一致しているので、マルチ操作スイッチ１６の右方向の操作で、選択アイコンが設定温度アイコン９２に切り替わると印象付けることができる。
【００５４】
さらに、マルチ操作スイッチ１６の右に位置する右加飾部３０ｂの内部の間接照明１４ｂが点灯され、左に位置する左加飾部３０ａの内部の間接照明１４ａは消灯される。このように、間接照明１４ｂが点灯されることにより、マルチ操作スイッチ１６の右方向への操作は有効であると印象付けることができ、マルチ操作スイッチ１６の右方向の操作で、選択アイコンが設定温度アイコン９２に切り替わると印象付けることができる。一方、左加飾部３０ａの内部の間接照明１４ａは消灯されているので、マルチ操作スイッチ１６の左方向への操作は無効であると印象付けることができる。そして、風量アイコン９１の左側には何も表示されないことも考慮すると、マルチ操作スイッチ１６を左方向に操作しても、他端に位置している風向アイコン９３にジャンプして切り替わらないで機能切切り替えが行き止まりとなっていることを印象付けることができる。
【００５５】
このように、図４（ａ）の状態で、マルチ操作スイッチ１６が右方向に操作された場合には、設定温度アイコン９２に選択アイコンが切り替わる。図４（ｂ）は、設定温度アイコン９２が選択アイコンとして選択されているときの空調パネル１０を示した図である。図４（ｂ）に示すように、設定温度アイコン９２が選択アイコンとして選択されているので、設定温度アイコン９２を囲むように囲み枠４１が表示切り替えされる。したがって、ユーザは、設定温度アイコン９２が現在選択アイコンとして選択されていることを把握することができ、マルチ操作スイッチ１６で設定温度を設定できることを把握することができる。この状態で、マルチ操作スイッチ１６が回転操作された場合には、設定温度が切り替わり、その設定温度に応じて設定温度アイコン９２の表示が切り替わる。
【００５６】
また、この状態で、設定温度アイコン９２から他の選択アイコンに切り替える場合には、マルチ操作スイッチ１６を左右方向に操作することになる。この際、設定温度アイコン９２が選択アイコンとして選択されている場合には、次にマルチ操作スイッチ１６が右方向に操作された場合には、右隣りに位置している風向アイコン９３に選択アイコンが切り替わる。一方、マルチ操作スイッチ１６が左方向に操作された場合には、左隣りに位置している風量アイコン９１に選択アイコンが切り替わる。
【００５７】
このようなことを鑑みて、設定温度アイコン９２の右側には、右方向を向いた右矢印記号４２が囲み枠４１に付帯して表示され、設定温度アイコン９２の左側には、左方向を向いた左矢印記号４３が囲み枠４１に付帯して表示される。これにより、次のマルチ操作スイッチ１６の操作で、風向アイコン９３又は風量アイコン９１に選択アイコンが切り替わることを印象付けることができる。
【００５８】
そして、マルチ操作スイッチ１６の右には右方向に向いた右加飾部３０ｂが加飾されており、その右加飾部３０ｂと表示されている右矢印記号４２とが向いている方向が右方向で一致しているので、マルチ操作スイッチ１６の右方向の操作で、選択アイコンが風向アイコン９３に切り替わると印象付けることができる。また、マルチ操作スイッチ１６の左には左方向に向いた左加飾部３０ａが加飾されており、その左加飾部３０ａと表示されている左矢印記号４３とが向いている方向が左方向で一致しているので、マルチ操作スイッチ１６の左方向の操作で、選択アイコンが風量アイコン９１に切り替わると印象付けることができる。
【００５９】
さらに、マルチ操作スイッチ１６の右に位置する右加飾部３０ｂの内部の間接照明１４ｂが点灯され、左に位置する左加飾部３０ａの内部の間接照明１４ａが点灯される。このように、間接照明１４ａ、１４ｂが点灯されることにより、マルチ操作スイッチ１６の右方向、左方向への操作はどちらも有効であると印象付けることができ、マルチ操作スイッチ１６の右方向の操作で、選択アイコンが風向アイコン９３に切り替わり、マルチ操作スイッチ１６の左方向の操作で、選択アイコンが風量アイコン９１に切り替わるとより一層印象付けることができる。
【００６０】
このように、図４（ｂ）の状態で、マルチ操作スイッチ１６が右方向に操作された場合には、風向アイコン９３に選択アイコンが切り替わる。図４（ｃ）は、風向アイコン９３が選択アイコンとして選択されているときの空調パネル１０を示した図である。なお、図４（ｂ）の状態で、マルチ操作スイッチ１６が左方向に操作された場合には、風量アイコン９１に選択アイコンが切り替わり、この場合には、再度、図４（ａ）の状態に戻ることになる。
【００６１】
図４（ｃ）に示すように、風向アイコン９３が選択アイコンとして選択されているので、風向アイコン９３を囲むように囲み枠４１が表示切り替えされる。したがって、ユーザは、風向アイコン９３が現在選択アイコンとして選択されていることを把握することができ、マルチ操作スイッチ１６で風向きを設定できることを把握することができる。この状態で、マルチ操作スイッチ１６が回転操作された場合には、風向きが切り替わり、その風向きに応じて風向アイコン９３の表示が切り替わる。
【００６２】
また、この状態で、風向アイコン９３から他の選択アイコンを切り替える場合には、マルチ操作スイッチ１６を左右方向に操作することになる。この際、風向アイコン９３が選択アイコンとして選択されている場合には、次のマルチ操作スイッチ１６の左方向の操作で、左隣りに位置している設定温度アイコン９２に選択アイコンが切り替わる。一方で、風向アイコン９３が選択アイコンとして選択されている場合には、マルチ操作スイッチ１６が右方向に操作されても選択アイコンが切り替わらないで、機能切り替えが行き止まりとなっている。
【００６３】
このようなことを鑑みて、風向アイコン９３の左側には、左方向を向いた左矢印記号４３が囲み枠４１に付帯して表示される一方で、風向アイコン９３の右側には何も表示されない。これにより、次のマルチ操作スイッチ１６の操作で、設定温度アイコン９２に選択アイコンが切り替わり、他端に位置している風量アイコン９１にジャンプして切り替わらないで機能切切り替えが行き止まりとなっていることを印象付けることができる。
【００６４】
そして、マルチ操作スイッチ１６の左には左方向に向いた左加飾部３０ａが加飾されており、その左加飾部３０ａと表示されている左矢印記号４３とが向いている方向が左方向で一致しているので、マルチ操作スイッチ１６の左方向の操作で、選択アイコンが設定温度アイコン９２に切り替わると印象付けることができる。
【００６５】
さらに、マルチ操作スイッチ１６の左に位置する左加飾部３０ａの内部の間接照明１４ａが点灯され、右に位置する右加飾部３０ｂの内部の間接照明１４ｂは消灯される。このように、間接照明１４ａが点灯されることにより、マルチ操作スイッチ１６の左方向への操作は有効であると印象付けることができ、マルチ操作スイッチ１６の左方向の操作で、選択アイコンが設定温度アイコン９２に切り替わると印象付けることができる。一方、右加飾部３０ｂの内部の間接照明１４ｂは消灯されているので、マルチ操作スイッチ１６の右方向への操作は無効であると印象付けることができる。そして、風向アイコン９３の右側には何も表示されないことも考慮すると、マルチ操作スイッチ１６を右方向に操作しても、他端に位置している風量アイコン９１にジャンプして切り替わらないで機能切り替えが行き止まりとなっていることを印象付けることができる。
【００６６】
以上説明したように、本実施形態では、マルチ操作スイッチ１６をどの方向に操作すると、どの選択アイコンに切り替わるかを容易に判断することができる。また、実際の選択アイコンの切り替え方向とマルチ操作スイッチ１６の操作方向も一致している。また、機能切り替えが行き止まりであることも容易に判断することができる。したがって、マルチ操作スイッチ１６の操作性を向上できる。
【００６７】
（第二実施形態）
次に、本発明の機能選択装置の第二実施形態を第一実施形態と異なる部分を中心に説明する。この第二実施形態は、上記の第一実施形態において、機能アイコン９１〜９３の配置領域の端に位置している風量アイコン９１又は風向アイコン９３が選択アイコンとして選択されている場合には、他端に位置している機能アイコン９１〜９３にジャンプして選択アイコンを切り替え可能としたものである。その他は、第一実施形態と同じである。
【００６８】
ここで、図５は、風量アイコン９１が選択アイコンとして選択されているときの空調パネル１０を示した図である。この状態で、風量アイコン９１から他の選択アイコンに切り替える場合には、マルチ操作スイッチ１６を左右方向に操作することになる。この際、風量アイコン９１が選択アイコンとして選択されている場合には、次にマルチ操作スイッチ１６が右方向に操作された場合には、第一実施形態と同様に、右隣りに位置している設定温度アイコン９２に選択アイコンが切り替わる。一方、マルチ操作スイッチ１６が左方向に操作された場合には、他端に位置している風向アイコン９３に選択アイコンがジャンプして切り替わる。
【００６９】
このようなことを鑑みて、風量アイコン９１の右側には、右方向を向いた右矢印記号４２が囲み枠４１に付帯して表示され、風量アイコン９１の左側には、左方向を向いた領域外矢印記号５１（本発明の「配置領域外の方向」に相当）が囲み枠４１に付帯して表示される。さらに、風向アイコン９３の右側に、風向アイコン９３に向いたジャンプ先矢印記号６１（本発明の「ジャンプ先アイコン方向」に相当）が表示される。これにより、次のマルチ操作スイッチ１６の操作で、風向アイコン９３に選択アイコンがジャンプして切り替わることが可能であることを印象付けることができる。なお、領域外矢印記号５１及びジャンプ先矢印記号６１が本発明の「機能ジャンプ示唆表示」に相当する。
【００７０】
そして、マルチ操作スイッチ１６の左には左方向に向いた左加飾部３０ａが加飾されており、その左加飾部３０ａと表示されている領域外矢印記号５１とが向いている方向が左方向で一致しているので、マルチ操作スイッチ１６の左方向の操作で、選択アイコンが風向アイコン９３にジャンプして切り替わると印象付けることができる。
【００７１】
さらに、マルチ操作スイッチ１６の左に位置する左加飾部３０ａの内部の間接照明１４ａが点灯される。このように、間接照明１４ａが点灯されることにより、マルチ操作スイッチ１６の左方向への操作は有効であると印象付けることができ、マルチ操作スイッチ１６の左方向の操作で、選択アイコンが風向アイコン９３に切り替わるとより一層印象付けることができる。
【００７２】
なお、風向アイコン９３が選択アイコンになっている場合でも、風量アイコン９１が選択アイコンになっていときと同じ考え方で、選択アイコンが切り替わり、空調パネル１０の表示が制御される。すなわち、マルチ操作スイッチ１６の右方向への操作で、他端に位置している風量アイコン９１に選択アイコンが切り替わる。そして、風向アイコン９３の右側には、右方向を向いた領域外矢印記号５１が囲み枠４１に付帯して表示される。さらに、風量アイコン９１の左側に、風量アイコン９１に向いたジャンプ先矢印記号６１が表示される。また、マルチ操作スイッチ１６の右に位置する右加飾部３０ｂの内部の間接照明１４ｂが点灯される。これにより、次のマルチ操作スイッチ１６の右方向の操作で、風量アイコン９１に選択アイコンがジャンプして切り替わることが可能であることを印象付けることができる。
【００７３】
以上説明したように、本実施形態では、機能切り替えがジャンプして切り替わることを容易に判断することができるので、操作性を向上できる。
【００７４】
（第三実施形態）
次に、本発明の機能選択装置の第三実施形態を第一、第二実施形態と異なる部分を中心に説明する。この第三実施形態では、機能アイコンが表示されるディスプレイとその機能アイコンを選択するマルチ操作スイッチとが互いに離れた位置に設けられる。また、ディスプレイに表示される機能アイコンは、左右一列だけでなく、縦横に配置される。なお、本実施形態の機能選択装置の電気的構成は、第一、第二実施形態のそれ（図３参照）と同じである。
【００７５】
ここで、図６は（ａ）、そのディスプレイとマルチ操作スイッチの設置場所を説明するための図、図６（ｂ）は、図６（ａ）におけるマルチ操作スイッチ１６の拡大図、図６（ｃ）は、図６（ａ）におけるディスプレイ１１の表示内容等を説明するための図である。なお、図６において、上記第一、第二実施形態と同等の機能を有する要素には同じ符号を付している。図６（ａ）に示すように、本実施形態では、ディスプレイ１１は運転席と助手席の間に配置されたセンターコンソールの上部に設けられ、マルチ操作スイッチ１６は、センターコンソール下部に設けられている。そのマルチ操作スイッチ１６は、図６（ｂ）に示すように、円盤状のノブ型のスイッチであり、車両前方、車両後方、助手席方向、運転席方向の上下左右の４方向に操作できるようになっている。なお、運転席、助手席に着座している乗員の視点を基準としてマルチ操作スイッチ１６の操作方向を定めると、車両前方＝上方向、車両後方＝下方向、助手席方向＝左方向、運転席方向＝右方向の操作方向となる。
【００７６】
また、マルチ操作スイッチ１６の周囲には、マルチ操作スイッチ１６の各操作方向に対応付けて、各操作方向を示した矢印型の間接照明１４ｃ〜１４ｆが設けられる。具体的には、車両前方の操作方向に対して車両前方を示した矢印型の間接照明１４ｃが、運転席方向の操作方向に対して運転席方向を示した矢印型の間接照明１４ｄが、車両後方の操作方向に対して車両後方を示した矢印型の間接照明１４ｅが、助手席方向の操作方向に対して助手席方向を示した矢印型の間接照明１４ｆが設けられる。これら間接照明１４ｃ〜１４ｆは、それぞれ矢印型の形状なので、マルチ操作スイッチ１６の操作方向を容易に判断できるようになっている。
【００７７】
一方、ディスプレイ１１には、図６（ｃ）に示すように、複数の機能アイコン１０１〜１０９が縦横に配置されて表示される。これら機能アイコン１０１〜１０９は、空調装置の機能に対応したアイコンの他、オーディオの機能に対応したアイコンも含まれる。すなわち、本実施形態では、複数の車載機器の機能に対応した機能アイコンが一つのディスプレイに表示されて、各機能の設定操作や設定状態の確認をすることができる。具体的には、ディスプレイ１１の上段左端部に、空調装置の前席に対する温度設定をする機能に対応し、その温度の設定状態を反映した機能アイコンである前席設定温度アイコン１０１が表示される。
【００７８】
また、ディスプレイ１１の上段中央部に、空調装置の風量を設定する機能に対応し、風量の設定状態を反映した機能アイコンである風量アイコン１０２が表示される。また、ディスプレイ１１の上段右端部に、空調装置の後席に対する温度設定をする機能に対応し、その温度の設定状態を反映した機能アイコンである後席設定温度アイコン１０３が表示される。
【００７９】
また、ディスプレイ１１の中段左端部に、空調装置の風向きを設定する機能に対応し、風向きの設定状態を反映した機能アイコンである風向アイコン１０４が表示される。また、ディスプレイ１１の中段中央部に、空調装置のエアコン機能をオンオフする機能に対応し、そのオンオフの状態を反映した機能アイコンであるエアコンアイコン１０５が表示される。また、ディスプレイ１１の中段右端部に、前席に対する空調と後席に対する空調とを同調させる機能をオンオフする機能に対応し、そのオンオフの状態を反映したＤＵＡＬアイコン１０６が表示される。
【００８０】
また、ディスプレイ１１の下段左端部に、オーディオの各ソース（ラジオ、ＣＤ、ＭＤ等）のうち有効にして出力させるソースを選択する機能に対応し、その選択状態を反映した機能アイコンであるソース選択アイコン１０７が表示される。また、ディスプレイ１１の下段中央部に、オーディオのＣＤやＭＤ等に録音されている音楽のうち出力する音楽を選択する機能に対応し、その選曲状態を反映した機能アイコンである選曲アイコン１０８が表示される。また、ディスプレイ１１の下段右端部に、オーディオの音量を設定する機能に対応し、その設定状態を反映した機能アイコンである音量アイコン１０９が表示される。
【００８１】
そして、これら機能アイコン１０１〜１０９に対応する各機能を設定操作等するために、マルチ操作スイッチ１６を上下左右方向に操作して、対応する機能アイコン１０１〜１０９を選択アイコンとして選択することができるようになっている。この際、選択できる機能アイコン１０１〜１０９は、一度に一つとなっている。
【００８２】
また、マルチ操作スイッチ１６で選択できる機能アイコン１０１〜１０９は、現在の選択アイコンと上下左右に隣り合っている機能アイコン１０１〜１０９となっている。さらに詳細には、マルチ操作スイッチ１６の右方向（運転席方向）の操作で、右隣りの機能アイコン１０１〜１０９を選択アイコンとして選択できる。また、マルチ操作スイッチ１６の左方向（助手席方向）の操作で、左隣りの機能アイコン１０１〜１０９を選択アイコンとして選択できる。マルチ操作スイッチ１６の上方向（車両前方）の操作で、上隣りの機能アイコン１０１〜１０９を選択アイコンとして選択できる。マルチ操作スイッチ１６の下方向（車両後方）の操作で、下隣りの機能アイコン１０１〜１０９を選択アイコンとして選択できる。このように、マルチ操作スイッチ１６の操作方向と選択アイコンの切り替わり方向（機能切替方向）とが一致している。
【００８３】
ただし、現在の選択アイコンが機能アイコン１０１〜１０９の配置領域の端に位置している場合には、選択できる機能アイコン１０１〜１０９として、他端に位置している機能アイコン１０１〜１０９にジャンプしないで選択することができず、機能切り替えが行き止まりになっている。そのため、本実施形態では、現在の選択アイコンが強調表示されるとともに、次に操作で選択できる機能アイコン１０１〜１０９を示唆する表示がなされる。
【００８４】
そこで、次に、マルチ操作スイッチ１６で機能アイコン１０１〜１０９を選択する際に、ディスプレイ１１がどのように表示されるか、マルチ操作スイッチ１６の周囲に設けられた間接照明１４ｃ〜１４ｆがどのように点灯されるかを図７〜図８を参照して説明する。なお、ディスプレイ１１の表示制御、間接照明１４ｃ〜１４ｆの点灯、消灯制御は、図３に示すＥＣＵ２０が実行する。
【００８５】
先ず、ディスプレイ１１の中段中央部に表示されるエアコンアイコン１０５が選択アイコンとして選択されている場合について説明する。この場合、図７（ａ）に示すように、エアコンアイコン１０５を強調する強調表示としての囲み枠４５が、エアコンアイコン１０５を囲むように表示される。したがって、ユーザは、エアコンアイコン１０５が現在選択アイコンとして選択されていることを把握することができ、マルチ操作スイッチ１６でエアコン機能のオンオフを設定できることを把握することができる。そして、この状態で、マルチ操作スイッチ１６が回転操作された場合には、エアコン機能のオンオフが切り替わり、そのオンオフに応じてエアコンアイコン１０５の表示が切り替わる。
【００８６】
また、エアコンアイコン１０５と上下左右に隣り合っている機能アイコン１０１〜１０９は、風量アイコン１０２（上）、ＤＵＡＬアイコン１０６（右）、選曲アイコン１０８（下）、風向アイコン１０４（左）である。したがって、マルチ操作スイッチ１６の次の操作で、風量アイコン１０２、ＤＵＡＬアイコン１０６、選曲アイコン１０８、風向アイコン１０４のいずれかに選択アイコンが切り替わることになる。そこで、マルチ操作スイッチ１６の次の操作で、選択アイコンがどのように切り替わるかを判断しやすくするために、図７（ａ）に示すように、ディスプレイ１１には、機能切替方向としての矢印記号４６〜４９が囲み枠４５に付帯して表示される。
【００８７】
矢印記号４６は、囲み枠４５の上側に付帯して表示され、上方向を示した矢印記号である（以下、上矢印記号４６という）。また、矢印記号４７は、囲み枠４５の右側に付帯して表示され、右方向を示した矢印記号である（以下、右矢印記号４７という）。矢印記号４８は、囲み枠４５の下側に付帯して表示され、下方向を示した矢印記号である（以下、下矢印記号４８という）。矢印記号４９は、囲み枠４５の左側に付帯して表示され、左方向を示した矢印記号である（以下、左矢印記号４９という）。
【００８８】
このように、矢印記号４６〜４９が表示されることによって、次のマルチ操作スイッチ１６の操作で、上下左右に位置している風量アイコン１０２、ＤＵＡＬアイコン１０６、選曲アイコン１０８、風向アイコン１０４のいずれかに選択アイコンが切り替わると印象付けることができる。
【００８９】
さらに、図７（ｂ）に示すように、間接照明１４ｃ〜１４ｆは全て点灯される。なお、図７（ｂ）は、マルチ操作スイッチ１６及び間接照明１４ｃ〜１４ｆを上から見た平面図である。したがって、マルチ操作スイッチ１６の上下左右の各方向の操作は全て有効であると印象付けることができる。そして、間接照明１４ｃの向きと上矢印記号４６の向きが上方向で一致しているため、マルチ操作スイッチ１６の上方向の操作で、上に位置している風量アイコン１０２に選択アイコンが切り替わると印象付けることができる。また、間接照明１４ｄの向きと右矢印記号４７の向きが右方向で一致しているため、マルチ操作スイッチ１６の右方向の操作で、右に位置しているＤＵＡＬアイコン１０６に選択アイコンが切り替わると印象付けることができる。また、間接照明１４ｅの向きと下矢印記号４８の向きが下方向で一致しているため、マルチ操作スイッチ１６の下方向の操作で、下に位置している選曲アイコン１０８に選択アイコンが切り替わると印象付けることができる。また、間接照明１４ｆの向きと左矢印記号４９の向きが左方向で一致しているため、マルチ操作スイッチ１６の左方向の操作で、左に位置している風向アイコン１０４に選択アイコンが切り替わると印象付けることができる。
【００９０】
なお、図７に示すように、エアコンアイコン４５が選択アイコンとして選択されている状態で、隣りに位置していない機能アイコン１０１、１０３、１０７、１０９に選択アイコンを切り替えたい場合には、一度、隣りに位置している機能アイコン１０２、１０４、１０６、１０８に選択アイコンを切り替える。その後、再度、マルチ操作スイッチ１６を操作すればよい。
【００９１】
次に、ディスプレイ１１の上段左端部に表示される前席設定温度アイコン１０１が選択アイコンとして選択されている場合に、ディスプレイ１１がどのように表示されるか、マルチ操作スイッチ１６の周囲に設けられた間接照明１４ｃ〜１４ｆがどのように点灯されるかを説明する。
【００９２】
この場合、図８（ａ）に示すように、前席設定温度アイコン１０１を強調する強調表示としての囲み枠４５が、前席設定温度アイコン１０１を囲むように表示される。したがって、ユーザは、前席設定温度アイコン１０１が現在選択アイコンとして選択されていることを把握することができ、マルチ操作スイッチ１６で前席に対する空調の設定温度を設定できることを把握することができる。そして、この状態で、マルチ操作スイッチ１６が回転操作された場合には、設定温度が切り替わり、その設定温度に応じて前席設定温度アイコン１０１の表示が切り替わる。
【００９３】
また、前席設定温度アイコン１０１と上下左右に隣り合っている機能アイコン１０１〜１０９は、風量アイコン１０２（右）、風向アイコン１０４（下）である。したがって、マルチ操作スイッチ１６の右方向の操作で風量アイコン１０２に、下方向の操作で風向アイコン１０４に選択アイコンが切り替わることになる。なお、前席設定温度アイコン１０１は上段左端部に位置しているので、上隣り及び左隣りには機能アイコン１０１〜１０９がない。そのため、マルチ操作スイッチ１６を上方向又は左方向に操作しても、選択アイコンが切り替わらず、機能切り替えが行き止まりとなっている。そこで、マルチ操作スイッチ１６の次の操作で、選択アイコンがどのように切り替わるかを判断しやすくするために、図８（ａ）に示すように、ディスプレイ１１には、機能切替方向としての右矢印記号４７、下矢印記号４８が囲み枠４５に付帯して表示される。
【００９４】
このように、右矢印記号４７、下矢印記号４８が表示されることによって、次のマルチ操作スイッチ１６の操作で、右に位置している風量アイコン１０２又は下に位置している風向アイコン１０４に選択アイコンが切り替わると印象付けることができる。
【００９５】
また、図７（ａ）に示す上矢印記号４６、左矢印記号４９は表示されないので（本発明の「機能終端示唆表示」に相当）、マルチ操作スイッチ１６を上方向又は左方向に操作しても、他端に位置している機能アイコン１０１〜１０９に選択アイコンがジャンプしないで、機能切り替えが行き止まりであることを印象付けることができる。
【００９６】
さらに、図８（ｂ）に示すように、間接照明１４ｄ、１４ｅは点灯され、間接照明１４ｃ、１４ｆは消灯される。したがって、マルチ操作スイッチ１６の右方向、下方向の操作は有効であり、上方向、左方向の操作は無効であると印象付けることができる。そして、間接照明１４ｄの向きと右矢印記号４７の向きが右方向で一致しているため、マルチ操作スイッチ１６の右方向の操作で、右に位置している風量アイコン１０２に選択アイコンが切り替わると印象付けることができる。また、間接照明１４ｅの向きと下矢印記号４８の向きが下方向で一致しているため、マルチ操作スイッチ１６の下方向の操作で、下に位置している風向アイコン１０４に選択アイコンが切り替わると印象付けることができる。
【００９７】
一方、間接照明１４ｃ、１４ｆは消灯されているため、マルチ操作スイッチ１６を上方向又は左方向に操作しても、他端に位置している機能アイコン１０１〜１０９に選択アイコンがジャンプしないで、機能切り替えが行き止まりであることを一層印象付けることができる。
【００９８】
なお、上記説明したエアコンアイコン１０５、前席設定温度アイコン１０１以外の他の機能アイコン１０１〜１０９が選択アイコンとして選択された場合であっても、上記図７、図８で説明したのと同様に、選択アイコンの配置位置に応じて、矢印記号４６〜４９が表示され、間接照明１４ｃ〜１４ｆが点灯される。
【００９９】
以上説明したように、本実施形態では、機能アイコン１０１〜１０９がディスプレイ１１に縦横に配置されている場合でも、マルチ操作スイッチ１６をどの方向に操作すると、どの選択アイコンに切り替わるかを容易に判断することができる。また、実際の選択アイコンの切り替え方向とマルチ操作スイッチ１６の操作方向も一致している。また、機能切り替えが行き止まりであることも容易に判断することができる。したがって、マルチ操作スイッチ１６の操作性を向上できる。
【０１００】
（第四実施形態）
次に、本発明の機能選択装置の第四実施形態を第一〜第三実施形態と異なる部分を中心に説明する。この第四実施形態は、上記の第三実施形態において、機能アイコン１０１〜１０９の配置領域の端に位置している機能アイコン１０１〜１０９が選択アイコンとして選択されている場合には、その選択アイコンと同列の他端に位置している機能アイコン１０１〜１０９にジャンプして選択アイコンを切り替え可能としたものである。その他は、第三実施形態と同じである。
【０１０１】
ここで、図９は、ディスプレイ１１の上段左端部に位置している前席設定温度アイコン１０１が選択アイコンとして選択されているときのディスプレイ１１を示した図（同図（ａ））、間接照明１４ｃ〜１４ｆの点灯状態を説明するための図（同図（ｂ））である。なお、図９において、第三実施形態と同じ機能を有するものには、同じ符号を付している。
【０１０２】
この場合、前席設定温度アイコン１０１の右隣りには風量アイコン１０２が、下隣りには風向アイコン１０４が配置されているので、右矢印記号４７と下矢印記号４８が囲み枠４５に付帯して表示される。そして、図９（ｂ）に示すように、右矢印記号４７と下矢印記号４８に対応した間接照明１４ｄ、１４ｅが点灯される。
【０１０３】
一方、前席設定温度アイコン１０１の上隣りには機能アイコン１０１〜１０９が配置されていないが、マルチ操作スイッチ１６の上方向の操作で、同じ縦列の他端に位置しているソース選択アイコン１０７に選択アイコンがジャンプして切り替わる。そこで、前席設定温度アイコン１０１の上側には、上方向を向いた領域外矢印記号５６（本発明の「配置領域外の方向」に相当）が囲み枠４５に付帯して表示される。さらに、ジャンプ先のソース選択アイコン１０７の下側に、ソース選択アイコン１０７を向いたジャンプ先矢印記号６６（本発明の「ジャンプ先アイコン方向」に相当）が表示される。これにより、次のマルチ操作スイッチ１６の操作で、ソース選択アイコン１０７に選択アイコンがジャンプして切り替わることが可能であることを印象付けることができる。
【０１０４】
さらに、図９（ｂ）に示すように、マルチ操作スイッチ１６の上に位置する間接照明１４ｃが点灯される。このように、間接照明１４ｃが点灯されることにより、マルチ操作スイッチ１６の上方向への操作は有効であると印象付けることができ、マルチ操作スイッチ１６の上方向の操作で、選択アイコンがソース選択アイコン１０７にジャンプして切り替わると印象付けることができる。
【０１０５】
同様に、前席設定温度アイコン１０１の左隣りには機能アイコン１０１〜１０９が配置されていないが、マルチ操作スイッチ１６の左方向の操作で、同じ横列の他端に位置している後席設定温度アイコン１０３に選択アイコンがジャンプして切り替わる。そこで、前席設定温度アイコン１０１の左側には、左方向を向いた領域外矢印記号５９（本発明の「配置領域外の方向」に相当）が囲み枠４５に付帯して表示される。さらに、ジャンプ先の後席設定温度アイコン１０３の右側に、後席設定温度アイコン１０３を向いたジャンプ先矢印記号６９（本発明の「ジャンプ先アイコン方向」に相当）が表示される。さらに、マルチ操作スイッチ１６の左に位置する間接照明１４ｆが点灯される。これにより、次のマルチ操作スイッチ１６の左方向の操作で、後席設定温度アイコン１０３に選択アイコンがジャンプして切り替わると印象付けることができる。なお、領域外矢印記号５６、５９及びジャンプ先矢印記号６６、６９が本発明の「機能ジャンプ示唆表示」に相当する。
【０１０６】
なお、前席設定温度アイコン１０１以外の他の機能アイコン１０１〜１０９が選択アイコンとして選択された場合であっても、上記図９で説明したのと同様に、選択アイコンの配置位置に応じて、矢印記号４６〜４９、領域外矢印記号、ジャンプ先矢印記号が表示され、間接照明１４ｃ〜１４ｆが点灯される。
【０１０７】
以上説明したように、本実施形態では、機能アイコン１０１〜１０９がディスプレイ１１に縦横に配置されている場合でも、機能切り替えがジャンプして切り替わることを容易に判断することができるので、操作性を向上できる。
【０１０８】
（第五実施形態）
次に、本発明の機能選択装置の第五実施形態を第一〜第四実施形態と異なる部分を中心に説明する。本実施形態は、上記第一〜第四実施形態の機能選択装置において、マルチ操作スイッチ１６の操作で、機能アイコン９１〜９３、１０１〜１０９がどのように切り替わるかを、ディスプレイ１１と間接照明１４ａ〜１４ｆを用いてデモンストレーションをする実施形態である。なお、デモンストレーション以外の構成、処理については、上記第一〜第四実施形態のそれと同じである。また、以下の説明において、上記第一〜第四実施形態と同じ機能を有するものには、同じ符号を付している。
【０１０９】
先ず、機能アイコンが左右一列に配置され、機能切り替えが行き止まりとされる第一実施形態の機能選択装置におけるデモンストレーションについて図１０を参照して説明する。なお、このデモンストレーションは、図３に示すＥＣＵ２０によって実行され、車両電源がオンされてディスプレイ１１の起動時に実行される。なお、このデモンストレーションを実行するＥＣＵ２０が本発明の「操作デモンストレーション手段」に相当する。
【０１１０】
ディスプレイ１１が起動されると、図１０（ａ）に示すように、ディスプレイ１１に、各機能アイコン９１〜９３が表示される。そして、設定温度アイコン９２を強調表示する囲み枠４１が、設定温度アイコン９２を囲むように表示される。つまり、設定温度アイコン９２が選択アイコンとして選択されていることを想定したものである。また、機能切替方向としての矢印記号４２、４３が囲み枠４１に付帯して表示される。したがって、マルチ操作スイッチ１６の次の操作で、左隣りに位置している風量アイコン９１又は右に位置している風向アイコン９３に選択アイコンが切り替わることを容易に判断させることができる。このように、デモンストレーションでは、実際に選択アイコンを選択する際のディスプレイ１１と同じ表示がされる。
【０１１１】
その後、図１０（ａ）に示すように、マルチ操作スイッチ１６の左に位置する間接照明１４ａが点灯される。これは、マルチ操作スイッチ１６の左方向の操作を示唆したものである。その後、図１０（ｂ）に示すように、設定温度アイコン９２の左隣りに位置している風量アイコン９１に囲み枠４１の表示が切り替わる。また、機能切替方向としての右矢印記号４２が囲み枠４１に付帯して表示される一方で、機能切り替えが行き止まりであるので、風量アイコン９１の左側には何も表示されない。
【０１１２】
これによって、マルチ操作スイッチ１６の左方向の操作で、設定温度アイコン９２から風量アイコン９１に選択アイコンが切り替わることを予め判断させることができる。また、風量アイコン９１が選択アイコンとして選択されている場合に、他端に位置している風向アイコン９３に選択アイコンがジャンプしないで機能切り替えが行き止まりとなっていることを、予め判断させることができる。
【０１１３】
その後、図１０（ｂ）に示すように、マルチ操作スイッチ１６の右に位置する間接照明１４ｂが点灯される。これは、マルチ操作スイッチ１６の右方向の操作を示唆したものである。その後、図１０（ｃ）に示すように、風量アイコン９１の右隣りに位置している設定温度アイコン９２に囲み枠４１の表示が切り替わる。また同様に、その後、間接照明１４ｂが点灯（同図（ｃ））→風向アイコン９３に囲み枠４１が表示（同図（ｄ））、間接照明１４ａが点灯（同図（ｄ））→設定温度アイコン９２に囲み枠４１が表示（同図（ｅ））、というようにデモンストレーションが実行される。
【０１１４】
これによって、マルチ操作スイッチ１６の操作で、機能アイコン９１〜９３がどのように切り替わるかを予め判断させることができるとともに、機能切り替えが行き止まりであることを予め判断させることができる。
【０１１５】
また、デモンストレーションは、ディスプレイ１１の起動時に実行されるので、実際に使用する前に操作方法を把握させることができる。また、デモンストレーションは、実際に機能アイコン９１〜９３が表示されるディスプレイ１１及び実際に操作されるマルチ操作スイッチ１６の周囲に配置された間接照明１４ａ、１４ｂによって実行されるので、より一層、操作方法を把握させることができる。また、デモンストレーションするための他のディスプレイ等を用意する必要がないので経済的である。
【０１１６】
なお、機能切り替えが他端にジャンプ可能な第二実施形態の機能選択装置におけるデモンストレーションについては、一端に位置している風量アイコン９１が選択アイコンとして選択されている場合には、図５と同じようにディスプレイ１１が表示される。すなわち、風量アイコン９１の左側に、左方向を向いた領域外矢印記号５１が囲み枠４１に付帯して表示される。さらに、風向アイコン９３の右側に、風向アイコン９３に向いたジャンプ先矢印記号６１が表示される。これによって、マルチ操作スイッチ１６の左方向の操作で、他端に位置している風向アイコン９３に選択アイコンがジャンプして切り替わることを予め判断させることができる。
【０１１７】
次に、機能アイコンが縦横に配置され、機能切り替えが行き止まりとされる第三実施形態の機能選択装置におけるデモンストレーションについて図１１を参照して説明する。なお、このデモンストレーションは、図３に示すＥＣＵ２０によって実行され、車両電源がオンされてディスプレイ１１の起動時に実行される。
【０１１８】
ディスプレイ１１が起動されると、図１１（１）に示すように、ディスプレイ１１に、各機能アイコン１０１〜１０９が表示される。そして、エアコンアイコン１０５を強調表示する囲み枠４５が、エアコンアイコン１０５を囲むように表示される。つまり、エアコンアイコン１０５が選択アイコンとして選択されていることを想定したものである。また、機能切替方向としての矢印記号４６〜４９が囲み枠４１に付帯して表示される。つまり、上記図１０のデモンストレーションと同様に、実際に選択アイコンを選択する際のディスプレイ１１と同じ表示がされる。
【０１１９】
その後、上記図１０のデモンストレーションと同様に、間接照明１４ｃ〜１４ｆの点灯→囲み枠４１の表示切り替え、という実際の操作方法を反映したデモンストレーシが実行される。具体的には、図１１（１）の後、間接照明１４ｆが点灯（図１１（２））→風向アイコン１０４に囲み枠４５が表示（図１１（３））、間接照明１４ｃが点灯（図１１（４））→前席設定温度アイコン１０１に囲み枠４５が表示（図１１（５））、間接照明１４ｄが点灯（図１１（６））→風量アイコン１０２に囲み枠４５が表示（図１１（７））、間接照明１４ｅが点灯（図１１（８））→エアコンアイコン１０５に囲み枠４５が表示（図１１（９））、というようなデモンストレーシが実行される。
【０１２０】
この際、選択アイコンの配置位置に応じた矢印記号４６〜４９が囲み枠４５に付帯して表示される。例えば、ディスプレイ１１の上段左端部に位置している前席設定温度アイコン１０１が選択アイコンとして選択されている場合には、図１１（５）に示すように、上矢印記号４６と左矢印記号４９が表示されない。したがって、マルチ操作スイッチ１６を上方向又は左方向に操作しても、選択アイコンが切り替わらず、機能切り替えが行き止まりとなっていることを予め把握させることができる。
【０１２１】
このように、デモンストレーションが実行されることによって、機能アイコン１０１〜１０９が縦横に配置されている場合であっても、マルチ操作スイッチ１６の操作で、機能アイコン１０１〜１０９がどのように切り替わるかを予め判断させることができるとともに、機能切り替えが行き止まりであることを予め判断させることができる。
【０１２２】
なお、機能切り替えが他端にジャンプ可能な第四実施形態の機能選択装置におけるデモンストレーションについても、実際に選択アイコンを選択する際に表示されるディスプレイ１１と同じ表示がされる。すなわち、例えば、端に位置している前席設定温度アイコン１０１が選択アイコンとして選択されている場合には、図９と同じようにディスプレイ１１が表示される。これによって、他端に位置している機能アイコン１０１〜１０９に選択アイコンがジャンプして切り替わることを予め判断させることができる。
【０１２３】
なお、本発明の機能選択装置は上記実施形態に限定されず、特許請求の範囲の記載を逸脱しない範囲で種々変形することができる。以下、各種変形例を説明する。
【０１２４】
（変形例１）
上記実施形態では、選択アイコンを強調する強調表示として、図１２（ａ）に示すような、囲み枠５であった。また、上記実施形態では、強調表示に付帯して表示される機能切替方向として、図１２（ａ）に示すような、機能切替方向を示した矢印記号６であった。しかし、強調表示５及び機能切替方向６はこれに限定されるわけではなく、例えば、図１２（ｂ）に示すように、強調表示５と機能切替方向６とを同じ枠で一体的に表示してもよい。また、図１２（ｃ）に示すように、機能切替方向６をインジケーターのように表示してもよい。また、図１２（ｄ）に示すように、強調表示５をとして、選択アイコンに付帯して●を表示してもよい。また、図１２（ｅ）に示すように、強調表示５をとして、選択アイコンに付帯してアンダーバーを表示してもよい。その際、機能切替方向６を、そのアンダーバー５の端部を矢印として表示してもよい。また、図１２（ｆ）に示すように、強調表示５、機能切替方向６を文字で表示してもよい。
【０１２５】
また、図１２に示した例以外にも、形状、色、大きさ、明るさ等を変化させて、どのように強調表示、機能切替方向を表示してもよい。また、マルチ操作スイッチ１６の周囲に配置され、マルチ操作スイッチの操作方向を示した加飾部（図１参照）や間接照明の形状も、矢印以外にも採用することができる。
【０１２６】
（変形例２）
上記実施形態は、図１３（ａ）、図１４（ａ）に示すように、機能アイコンが左右一列に配列、縦横に配列された場合について説明したが、これに限定されるわけではなく、どのように機能アイコンが配列されていても、本発明を適用することができる。例えば、図１５（ａ）に示すように、機能アイコンが十字に配置されていてもよい。この場合、図１５（ｂ）に示すように、マルチ操作スイッチの上下左右方向の操作で、十字に配置されている機能アイコンのうち、それぞれ対応する操作方向に配置されている機能アイコンが選択アイコンとして選択される。そして、ディスプレイに表示される機能切替方向として、例えば、図１５（ａ）に示すように、十字に配置されている機能アイコンの中央に、各機能アイコンを向いた矢印記号６が表示される。
【０１２７】
また、図１６（ａ）に示すように、機能アイコンが円周に配置されていてもよい。この場合、図１６（ｂ）に示すように、マルチ操作スイッチの円周方向の操作で、現在の選択アイコンと円周上で隣り合う機能アイコンに選択アイコンが切り替わる。そして、ディスプレイに表示される機能切替方向として、例えば、図１６（ａ）に示すように、円周上で隣り合う機能アイコンに向いた矢印記号６が表示される。
【０１２８】
（その他変形例）
また、上記実施形態では、車載機器として、空調装置やオーディオを例にとって説明したが、ナビゲーション装置などの他の車載機器の機能に対して、本発明を適用してもよい。また、車載器機器の他の機器の機能に対して、本発明を適用してもよい。また、上記実施形態では、機能を選択するスイッチと選択された機能の設定操作をするスイッチを同じスイッチとしていたが、これらを別に設けてもよい。また、上記実施形態では、機能切り替えが行き止まりの場合には、機能切替方向としての矢印記号の表示をしないことによって、機能切り替えが行き止まりであることを示唆していたが、行き止まりである旨を言語等で明示して表示してもよい。
【０１２９】
また、上記実施形態では、間接照明１４ａ〜１４ｆをマルチ操作スイッチ１６の周辺に設けていたが、マルチ操作スイッチ１６自体に設けてもよい。また、上記実施形態では、加飾部３０、間接照明１４の設置位置、形状で、マルチ操作スイッチ１６の操作方向を示唆していたが、マルチ操作スイッチ１６自体を操作方向が示唆できる形状としてもよい。
【符号の説明】
【０１３０】
１  空調制御装置（機能選択装置）
５  強調表示
６  機能切替方向
１１  ディスプレイ
１４ａ〜１４ｆ  間接照明（操作方向示唆表示、操作方向示唆手段）
１６  マルチ操作スイッチ（機能選択スイッチ）
２０  ＥＣＵ（強調表示手段、切換方向表示手段、操作デモンストレーション手段）
３０ａ、３０ｂ  加飾部（操作方向示唆表示、操作方向示唆手段）
４１、４５  囲み枠（強調表示）
４２、４３、４６〜４９  矢印記号（機能切替方向）
５１、５６、５９  領域外矢印記号（配置領域外の方向）
６１、６６、６９  ジャンプ先矢印記号（ジャンプ先アイコン方向）
９１〜９３、１０１〜１０９  機能アイコン
【図１】
2011051427.tif 000003
【図２】
2011051427.tif 000004
【図３】
2011051427.tif 000005
【図４】
2011051427.tif 000006
【図５】
2011051427.tif 000007
【図７】
2011051427.tif 000008
【図８】
2011051427.tif 000009
【図９】
2011051427.tif 000010
【図１０】
2011051427.tif 000011
【図１１】
2011051427.tif 000012
【図１２】
2011051427.tif 000013
【図１３】
2011051427.tif 000014
【図１４】
2011051427.tif 000015
【図１５】
2011051427.tif 000016
【図１６】
2011051427.tif 000017
【図１７】
2011051427.tif 000018
【図１８】
2011051427.tif 000019
【図６】
2011051427.tif 000020